(57)【特許請求の範囲】
【請求項１】
複数の放送局のそれぞれから送信された複数の放送信号を受信する受信部と、
前記受信部により受信された各放送信号に基づいて、当該各放送信号の受信状況をリアルタイムに測定する測定部と、
情報を表示する表示部と、
前記測定部により測定された受信状況が良好でないか否かを判別する判別部と、
前記測定部により測定された受信状況に応じて前記各放送信号に付加された各番組情報の表示色を変化させて前記表示部に表示させると共に、前記判別部により受信状況が良好でないと判別された場合、当該受信状況が良好でない番組情報に対応する番組の視聴を禁止する制御部と、
を備える地上波デジタル放送受信装置。
【請求項２】
情報を入力する入力部を備え、
前記制御部は、
前記入力部を介して前記受信状況が良好でない番組情報の選択入力を禁止する請求項１に記載の地上波デジタル放送受信装置。
【請求項３】
複数の放送局のそれぞれから送信された複数の放送信号を受信する受信工程と、
前記受信工程により受信された各放送信号に基づいて、当該各放送信号の受信状況をリアルタイムに測定する測定工程と、
前記測定工程により測定された受信状況が良好でないか否かを判別する判別工程と、
前記測定工程により測定された受信状況に応じて前記各放送信号に付加された各番組情報の表示色を変化させて表示部に表示させると共に、前記判別工程により受信状況が良好でないと判別された場合、当該受信状況が良好でない番組情報に対応する番組の視聴を禁止する制御工程と、
を含む地上波デジタル放送受信方法。
【請求項４】
コンピュータを、
複数の放送局のそれぞれから送信された複数の放送信号を受信する受信部、
前記受信部により受信された各放送信号に基づいて、当該各放送信号の受信状況をリアルタイムに測定する測定部、
前記測定部により測定された受信状況が良好でないか否かを判別する判別部と、
前記測定部により測定された受信状況に応じて前記各放送信号に付加された各番組情報の表示色を変化させて表示部に表示させると共に、前記判別部により受信状況が良好でないと判別された場合、当該受信状況が良好でない番組情報に対応する番組の視聴を禁止する制御部と、
として機能させる地上波デジタル放送受信プログラム。
【発明の詳細な説明】
【技術分野】
【０００１】
本発明は、地上波デジタル放送受信装置、地上波デジタル放送受信方法、及び地上波デジタル放送受信プログラムに関する
【背景技術】
【０００２】
従来より、視聴可能なすべての放送局から提供される番組に関する番組情報を事前に取得することのできる地上波デジタル放送受信装置が知られている（例えば、特許文献１参照）。これにより、同時に複数の放送局をチューニングできる地上波デジタル放送受信装置であれば、１つのチューナを視聴用に割り当て、その間に別のチューナを番組情報のために使用することが可能となる。したがって、視聴者へ画像及び音声（画音）を欠落させることなく番組情報を提示できる。
【特許文献１】特開２００４−２０７９７８号公報
【発明の開示】
【発明が解決しようとする課題】
【０００３】
しかしながら、上述の特許文献の地上波デジタル放送受信装置において、同時に１つの放送局しかチューニングできない場合、すべての放送局の番組情報を取得するためには、その間、視聴者への画音提示を停止しなければならない不便さがあった。また、すべての放送局の番組情報を取得するには、多大な時間が必要である。このため、画音停止時間は、視聴者の円滑な画音の享受を妨げるものであった。
【０００４】
また、移動体の地上波デジタル放送受信装置においては、視聴者が番組情報の提示を受けるときの表現形式は、番組表と呼ばれる新聞のテレビ欄に掲載されるようなラジオテレビ欄（ラテ欄）の表現が多く利用されている。移動体の地上波デジタル放送受信装置における表示画面は、固定式に比べて小さな画面を使用することが多い。それゆえ、一画面に表示できる番組情報量は、視聴可能なすべての放送局の番組情報に対して著しく制限される。視聴者は、現在表示されている番組表の情報が常に最新の情報であれば好みの番組を正しく見つけ出すことができる。しかし、上述の特許文献のように、事前にすべての放送局の番組情報を受信しておくことは、番組情報が放送局の都合により常に変化する可能性があることを考慮に入れると、視聴者は最新の情報を参照できないため効率的でない。
【０００５】
また、移動体の地上波デジタル放送受信装置の場合、移動により受信電波の強弱が刻々と変化する。したがって、事前に受信した番組情報をもとに視聴者が好みの番組を見つけ出したとしても、新たにその放送局の画音を受信できるかどうかを含め、受信状況の良否の度合いは、視聴を試みるまでは判断できなかった。受信状況が極端に悪く画音の提示を受けられない場合、視聴者は再度番組情報の提示を受け、別の好みの番組を探さなければならない。このような行為は、時間を要すると共に非常に煩わしいものであった。このとき、視聴者は、番組情報の受信状況をリアルタイムに把握することができれば、再度番組情報の提示を受け、別の番組を探す手間を省くことができる。
【０００６】
本発明の課題は、視聴者が番組情報の受信状況をリアルタイムに把握し得るようにすることである。
【課題を解決するための手段】
【０００７】
上記課題を解決するため、請求項１に記載の発明の地上波デジタル放送受信装置は、
複数の放送局のそれぞれから送信された複数の放送信号を受信する受信部と、
前記受信部により受信された各放送信号に基づいて、当該各放送信号の受信状況をリアルタイムに測定する測定部と、
情報を表示する表示部と、
前記測定部により測定された受信状況が良好でないか否かを判別する判別部と、
前記測定部により測定された受信状況に応じて前記各放送信号に付加された各番組情報の表示色を変化させて前記表示部に表示させると共に、前記判別部により受信状況が良好でないと判別された場合、当該受信状況が良好でない番組情報に対応する番組の視聴を禁止する制御部と、を備える。
【００１１】
請求項２に記載の発明は、請求項１に記載の地上波デジタル放送受信装置において、
情報を入力する入力部を備え、
前記制御部は、
前記入力部を介して前記受信状況が良好でない番組情報の選択入力を禁止する。
【００１２】
請求項３に記載の発明の地上波デジタル放送受信方法は、
複数の放送局のそれぞれから送信された複数の放送信号を受信する受信工程と、
前記受信工程により受信された各放送信号に基づいて、当該各放送信号の受信状況をリアルタイムに測定する測定工程と、
前記測定工程により測定された受信状況が良好でないか否かを判別する判別工程と、
前記測定工程により測定された受信状況に応じて前記各放送信号に付加された各番組情報の表示色を変化させて表示部に表示させると共に、前記判別工程により受信状況が良好でないと判別された場合、当該受信状況が良好でない番組情報に対応する番組の視聴を禁止する制御工程と、を含む。
【００１３】
請求項４に記載の発明の地上波デジタル放送プログラムは、
コンピュータを、
複数の放送局のそれぞれから送信された複数の放送信号を受信する受信部、
前記受信部により受信された各放送信号に基づいて、当該各放送信号の受信状況をリアルタイムに測定する測定部、
前記測定部により測定された受信状況が良好でないか否かを判別する判別部と、
前記測定部により測定された受信状況に応じて前記各放送信号に付加された各番組情報の表示色を変化させて表示部に表示させると共に、前記判別部により受信状況が良好でないと判別された場合、当該受信状況が良好でない番組情報に対応する番組の視聴を禁止する制御部と、として機能させる。
【発明の効果】
【００１４】
本発明によれば、視聴者が番組情報の受信状況をリアルタイムに把握し得るようにすることができる。
【発明を実施するための最良の形態】
【００１５】
以下、添付図面を参照して本発明に係る実施の形態を詳細に説明する。ただし、発明の範囲は、図示例に限定されない。
【００１６】
先ず、図１を参照して、地上波デジタル放送受信装置１の装置構成について説明する。地上波デジタル放送受信装置１は、携帯型の地上波デジタル放送受信装置である。地上波デジタル放送受信装置１は、測定部、制御部としての主制御部１１と、ＲＯＭ（Read  Only  Memory）１２と、ＲＡＭ（Random  Access  Memory）１３と、入力部としての入力装置１４と、受信部としてのアンテナ１５と、チューナ部１６と、復調部１７と、映像・音声出力装置１８と、表示部としての表示装置１９と、スピーカ部２０と、現在位置検出部２１と、を備えて構成される。
【００１７】
主制御部１１は、ＣＰＵ（Central  Processing  Unit）を備えて構成され、地上波デジタル放送受信装置１の各部を中央制御する。ＲＯＭ１２は、情報を読み出し可能なメモリであり、特に、後述する番組表表示プログラムを記憶する。ＲＡＭ１３は、格納する揮発性のメモリであり、各種プログラム及び各種データを展開するワークエリアを有する。
【００１８】
主制御部１１は、ＲＯＭ１２に記憶されているシステムプログラム及び各種アプリケーションプログラムの中から指定されたプログラムやＲＡＭ１３に記憶されたデータを読み出して当該ＲＡＭ１３に展開し、ＲＡＭ１３に展開されたプログラムやデータとＣＰＵとの協働で、各種処理を実行する。
【００１９】
主制御部１１は、番組表表示プログラムとの協働により、アンテナ１５により受信された各放送信号に基づいて、当該各放送信号の受信状況をリアルタイムに測定し、当該測定された受信状況に応じて各放送信号の受信状況を示す情報を出力させる。
ここで、各放送信号の受信状況をリアルタイムに測定するとは、各放送局から受信した放送信号に基づいて、各放送局の番組情報を取得可能か否かをリアルタイム（放送局からの放送信号の受信時）に判別することをいう。各放送信号の受信状況は、例えば、放送信号を復調する際に、復調部１７から取得したＢＥＲ（Bit Error Rate）やＣ／Ｎ（Carrier to Noise）比に基づいて、測定される。また、画音や番組情報のデコードにおいて、画質、音質、番組情報の欠落の度合いなどを映像・音声出力装置１８から取得して測定することとしてもよい。
各放送信号の受信状況を示す情報とは、各放送信号に付加された番組情報の受信状況を示す情報や、後述する番組表２２の外にアンテナマーク等を表示して各放送信号の受信状況を示す情報等のことをいう。ここで、番組情報とは、各放送信号に付加された情報であり、各放送局で放送されている番組の情報のことをいう。例えば、番組名、番組の放送時間などに該当する。
また、受信状況に応じて各放送信号の受信状況を示す情報を出力させるとは、例えば、受信状況に応じて各番組情報の表示態様を変化させて表示装置１９に表示させることをいう。受信状況に応じて各番組情報の表示態様を変化させるとは、例えば、受信状況に応じて各番組情報の表示色を変化させて表示装置１９に表示させることをいう。
【００２０】
入力装置１４は、例えば、各種の操作信号を入力するための各種のキー等を備え、視聴者により操作されることによって、各種の操作信号を主制御部１１に出力する。
【００２１】
アンテナ１５は、地上波デジタル放送の放送波（放送信号）を受信する。そして、地上波デジタル放送の放送信号（ＲＦ（Radio  Frequency）信号）をチューナ部１６に出力する。
【００２２】
チューナ部１６は、ミキサ，選局回路，Ａ／Ｄ変換回路（いずれも図示省略）等を備えて構成される。具体的には、チューナ１６は、ミキサ，選局回路等により、アンテナ１５から入力されたＲＦ信号から視聴者が所望する番組を放送するチャンネルの放送信号を選択し、当該選択した放送信号をＩＦ（Intermediate Frequency）信号に変換する。そして、Ａ／Ｄ変換回路により、ＩＦ信号をデジタルデータに変換する。そして、変換されたデジタルデータを復調部１７に出力する。
【００２３】
復調部１７は、チューナ部１６からのデジタルデータに復調処理を行う。そして、復調された復調信号を主制御部１１に出力する。復調信号は、主制御部１１を介して映像・音声出力装置１８に出力される。また、復調部１７は、地上波デジタル放送受信装置１の対応する放送方式の映像・音声データや放送されている番組に関するデータなどの復調が可能な復調装置を全て含んでいる。
【００２４】
映像・音声出力装置１８は、主制御部１１により出力された復調信号を可視映像又は可視音にデコード（変換）する。そして、変換された映像を表示装置１９に、変換された音声をスピーカ部２０にそれぞれ出力する。
【００２５】
表示装置１９は、例えば、ＬＣＤ（Liquid  Crystal  Display）やＰＤＰ（Plasma  Display  Panel）等を備えて構成され、映像・音声出力装置１８から出力された映像を表示する。
【００２６】
スピーカ部２０は、スピーカ等を備えて構成され、映像・音声出力装置１８から出力された音声を出力する。
【００２７】
現在位置検出部２１は、例えば、ジャイロセンサ、ＧＰＳ測位部等から構成され、地上波デジタル放送受信装置１自身の現在位置情報を検出し、検出した現在位置情報に基づく現在位置検出信号を主制御部１１に出力する。  
【００２８】
次に、図２を参照して、表示装置１９に表示される番組表２２について説明する。番組表２２は、番組情報の全部又は一部により構成される。具体的には、番組表２２は、横軸を放送局とした格子、縦軸を放送時間とした格子を構成する。また、時刻（放送時間）と放送局の格子上で交わる領域は、番組情報（番組名、放送時間）を示す。
【００２９】
図２に示す番組表２２の場合、１画面に「Ａ放送局」「Ｂ放送局」「Ｃ放送局」の３放送局について、午後１時〜４時台までを表す「ＰＭ１」〜「ＰＭ４」までの番組名が表示されている。また、番組表２２には、視聴者の操作のためにカーソルが置かれる。例えば、視聴者が「Ｂ放送局」の「芸能○○」を視聴しており（すなわち、Ｂ放送局が選局されており）、その状態から番組表の表示操作を行ったとする。この場合、カーソルの初期位置は「芸能○○」にあるものとする。また、このとき、番組表２２には、現在選局されている「Ｂ放送局」の他に「Ａ放送局」と「Ｃ放送局」も表示される。
【００３０】
次に、図３を参照して、表示装置１９に表示される番組表３１について説明する。番組表３１は、各番組を放送する放送信号の受信状況を測定した場合、測定結果に応じて各番組情報の表示態様を表示する一例を示したものである。例えば、「Ｂ放送局」に関しては、はじめに番組表を表示したとき（番組表２２を表示したとき）と同様に表示されている。これは、現在、受信状況が良好であり、継続して良好な画音を視聴者に提示できる状態であることを示している。
【００３１】
ここで、「Ａ放送局」に関しては、番組情報を表示する背景色がはじめに番組表を表示したとき（番組表２２を表示したとき）と変化している。これは、現在、受信状況が悪く、番組情報の取得ができないことを示している。また、「Ｃ放送局」に関しては、番組情報を表示する背景色がはじめに番組表を表示したとき（番組表２２を表示したとき）と変化しており、かつ、「Ａ放送局」と異なる背景色となっている。これは、現在、受信状況が良好でなく、番組情報の取得は可能であったが、良好な画音を視聴者に対して提示出来ない状態であることを示している。この番組情報の背景色の変化は、受信状況の測定結果を反映したものであり、当該測定及び測定結果の表示は、繰り返し実施される。  
【００３２】
次に、図４を参照して、地上波デジタル放送受信装置１の主制御部１１で実行される番組表表示処理を説明する。番組表表示処理は、受信状況に応じて各放送局の番組情報を表示装置１９に表示させる処理である。
【００３３】
例えば、ユーザにより入力装置１４を介して番組表表示処理の実行指示の入力がされたこと等をトリガとして、ＲＯＭ１２から読み出されて適宜ＲＡＭ１３に展開された番組表表示プログラムと、主制御部１１との協働により番組表表示処理が実行される。
【００３４】
ここで、予め、初期電源投入時や視聴者の操作により、受信可能な放送局の検索がされ、受信可能な放送局の周波数や放送局に関する情報がＲＡＭ１３のテーブル（受信可能周波数テーブル）に記憶されているものとする。当該受信可能周波数テーブルは、視聴者によるチャンネル切り替え（選局）時における選局先の特定などに用いられる。そして、視聴者により入力装置１４を介してチャンネルの選局が行われ、選局されたチャンネルの番組情報がＲＡＭ１３に蓄積される。以上の条件下における番組表表示処理を説明する。
【００３５】
先ず、過去に蓄積された番組情報（蓄積情報）に基づいて番組表が表示される（ステップＳ１１）。具体的には、現時点でＲＡＭ１３蓄積されている番組情報に基づいて番組表が作成され、当該作成された番組表が表示装置１９に表示される。
【００３６】
そして、現在表示している放送局のリスト及び時間帯が記憶される（ステップＳ１２）。例えば、現在、「Ａ放送局」、「Ｂ放送局」「Ｃ放送局」、及び時間帯「ＰＭ１」〜「ＰＭ４」が表示されているとする。この場合、放送局のリストとして「Ａ放送局」、「Ｂ放送局」「Ｃ放送局」の情報、及び時間帯として「ＰＭ１」〜「ＰＭ４」がＲＡＭ１３に記録（記憶）される。これにより、例えば、他局の番組情報を取得する際、記憶された放送局のリスト及び時間帯が参照されることにより、受信状況を測定すべき放送局及び時間帯が明らかになる。
【００３７】
ステップＳ１２の実行後、番組情報取得及び受信状況の測定が開始される（ステップＳ１３）。すなわち、ＲＡＭ１３に記憶された放送局のリストにおける各放送局の番組情報及び受信状況の測定が開始される。
【００３８】
そして、リストが参照され、次の放送局の選局が行われる（ステップＳ１４）。具体的には、ステップＳ１２においてＲＡＭ１３に記憶された放送局のリストが参照され、当該リストの中から現在選局されている放送局とは別の放送局が選局される。ここで、放送局の選局は、ＲＡＭ１３に記憶されているリストの上から順々に選局してもよいし、ある放送局に重み付けし、重み付けされた放送局の順に選局を行う方法でもよい。
【００３９】
ステップＳ１４の実行後、選局された放送局の受信状況が測定され、番組表記載の時間帯の番組情報が取得される（ステップＳ１５）。受信状況の測定は、放送信号を復調する際に、復調部１７から取得したＢＥＲやＣ／Ｎ比から受信状況を測定してもよいし、画音や番組情報のデコードにおいて画質、音質、番組情報の欠落の度合いなどを測定してもよい。ここで、受信状況の測定は、リアルタイム（放送局からの放送信号の受信時）に行われる。また、番組情報の取得に関しては、番組表記載の時間帯に限ることで次の処理への移行を早めることができるが、それ以外の時間帯を取得してもよい。また、番組情報の更新を行わず、受信状況のみを更新するのであれば、番組情報を取得しなくても構わない。
【００４０】
そして、番組情報を取得できたか否かの判別が行われる（ステップＳ１６）。具体的には、例えば、「番組情報すら取得できない最悪の状態」「番組情報を取得できるがＢＥＲが良好でなく、画音提示に適さない状態」「番組情報を取得でき、ＢＥＲが良好で画音提示に適する状態」の３つの基準に基づいて、受信状況の結果を判別することにより番組情報を取得できたか否かが判別される。
【００４１】
ステップＳ１６において、番組情報を取得できなかったと判別された場合（ステップＳ１６；ＮＯ）、取得した受信状況「最悪」（「番組情報すら取得できない最悪の状態」）により、番組表が更新される（ステップＳ２１）。すなわち、現在受信状況が悪いため、番組情報の取得ができないことを示す表示態様に番組表が更新され、更新された番組表が表示装置１９に表示される。本ステップは、図３の番組表３１における「Ｃ放送局」における番組情報の表示態様に該当する。ステップＳ２１の実行後、後述するステップＳ２０に移行される。
【００４２】
ステップＳ１６において、番組情報を取得できたと判別された場合（ステップＳ１６；ＹＥＳ）、新たに取得された番組情報により番組表が更新される（ステップＳ１７）。そして、受信状況の測定結果が良好（「番組情報を取得でき、ＢＥＲが良好で画音提示に適する状態」）であるか否かが判別される（ステップＳ１８）。すなわち、新たに取得された番組情報の番組を放送する放送信号に基づいて、受信状況の測定結果が良好であるか否かが判別される。
【００４３】
ステップＳ１８において、受信状況の測定結果が良好でないと判別された場合（ステップＳ１８；ＮＯ）、取得した受信状況「不良」（「番組情報を取得できるがＢＥＲが良好でなく、画音提示に適さない状態」）により、番組表が更新される（ステップＳ２２）。すなわち、現在、受信状況が悪く画音の提示ができないことを示す表示態様に番組表が更新され、更新された番組表が表示装置１９に表示される。本ステップは、図３の番組表３１における「Ａ放送局」における番組情報の表示態様に該当する。ステップＳ２２の実行後、後述するステップＳ２０に移行される。
【００４４】
ステップＳ１８において、受信状況の測定結果が良好であると判別された場合（ステップＳ１８；ＹＥＳ）、取得した受信状況により番組表が更新される（ステップＳ１９）。すなわち、現在、受信状況が良好であり画音の提示が可能であることを示す表示態様に番組表が更新され、更新された番組表が表示装置１９に表示される。本ステップは、図３の番組表３１における「Ｂ放送局」における番組情報の表示態様に該当する。
【００４５】
ステップＳ１９の実行後、視聴者の入力により入力装置１４を介して終了指示を受け付けたか否かが判別される（ステップＳ２０）。終了指示を受け付けていないと判別された場合（ステップＳ２１；ＮＯ）、入力装置１４を介してカーソル移動の操作指示の受け付けが行われる（ステップＳ２３）。ステップＳ２３の実行後、ステップＳ１２に移行される。
【００４６】
ここで、例えば、図３に示す表示画面３１が表示装置１９に表示されており、視聴者より入力装置１４を介してカーソルを右に移動する操作（ステップＳ２３に対応する操作）が受け付けられたとする。この場合、図５に示す表示画面５１が表示装置１９に表示される。すなわち、「Ｄ放送局」の番組情報が右の列に現れる。そして、ステップＳ１２に移行され、「Ｄ放送局」の情報がリストに記憶される。そして、ステップＳ１３〜Ｓ２０の処理が同様に行われる。
【００４７】
ここで、図５に示す表示画面５１において、「Ｃ放送局」の番組情報は、受信状況が最悪であるため、視聴者は番組の画音の提示を受けられない。また、「Ｃ放送局」の番組情報は、最新の番組情報でもない。このため、例えば、視聴者がカーソルを番組情報「メレンゲの○○」に移動させて、画音の提示を受けようとしても、画音を提示することはできない（図５参照）。この場合、例えば、図６に示す表示画面６１が表示装置１９に表示される。
【００４８】
表示画面６１は、受信状況が良好でない場合（例えば、受信状況が最悪の場合）、受信状況が良好でない番組情報に対応する番組の視聴を禁止することを示した画面である。例えば、表示画面６１において、「Ｃ放送局」は、受信状況が最悪の放送局であるとする。この場合、視聴者は、カーソルにより、「Ｃ放送局」の番組情報を選択入力できない。具体的には、入力装置１４を介して、受信状況が良好でない「Ｃ放送局」の番組情報の選択入力が禁止され、「Ｃ放送局」の番組の視聴が禁止される。この場合、視聴者が入力装置１４を介してカーソルを操作して、「Ｃ放送局」の番組情報を選択入力しようとすると、カーソルが「Ｄ放送局」の番組情報（例えば、番組情報「王様の○○」）に移動する。これにより、視聴者が画音の提示ができない番組を誤って選択することを防ぐことができる。
【００４９】
ステップＳ２０において、終了指示を受け付けたと判別された場合（ステップＳ２０；ＹＥＳ）、番組情報表示処理は終了される。
【００５０】
以上、本実施の形態によれば、主制御部１１は、受信状況に応じて各放送信号に付加された各番組情報を出力させる。これにより、リアルタイムに測定された受信状況に応じて番組情報が出力されるので、視聴者は出力された番組情報を参照することにより、番組情報の受信状況をリアルタイムに把握することができる。また、視聴者は、番組情報の中に好みの番組があった場合、好みの番組に関する受信状況を容易に知ることができる。
【００５１】
また、受信状況に応じて各番組情報の表示態様を変化させて表示装置１９に表示させることができる。具体的には、受信状況に応じて各番組情報の表示色を変化させて表示装置１９に表示させることができる。
【００５２】
また、受信状況が良好でない番組情報に対応する番組の視聴を禁止する。これにより、視聴者が受信状況の良好でない番組を誤って選局することや、予約することを防ぐことができる。
【００５３】
また、入力装置１４を介して受信状況が良好でない番組情報の選択入力を禁止することができる。
【００５４】
なお、上記実施の形態における記述は、本発明に係る地上波デジタル放送受信装置、地上波デジタル放送受信方法、地上波デジタル放送受信プログラムの一例であり、これに限定されるものではない。
【００５５】
例えば、上記実施の形態では、番組表の表示色（背景色）を変える表示形態により、受信状況を視聴者に通知することとしたがこれに限定されるものではない。例えば、携帯電話の表示部に表示されるようなアンテナバーや棒グラフ、デジベル表示などの表示形態としてもよい。具体的には、受信状況に応じて、番組表２２の外に受信状況に応じたアンテナマーク等を表示して各放送信号の受信状況を示すこととしてもよい。また、画面表示ではなく、カーソル移行した際に音（音声案内やビープ音の高低）などにより受信状況を視聴者に通知することとしてもよい。
【００５６】
また、番組情報表示処理のステップＳ１６において、「番組情報すら取得できない最悪の状態」「番組情報を取得できるがＢＥＲが良好でなく、画音提示に適さない状態」「番組情報を取得でき、ＢＥＲが良好で画音提示に適する状態」の３つの基準に基づいて、番組情報を取得できたか否かが判別したがこれに限定されるものではない。例えば、他の基準を用いて判別してもよいし、判別する段階数をさらに多くしたり少なくしたりすることとしてもよい。
【００５７】
また、上記実施の形態では、受信状況が最悪の放送局（「Ｃ放送局」）がある場合、カーソルにより「Ｃ放送局」の番組情報の選択入力を禁止することとしたがこれに限定されるものではない。例えば、「Ｃ放送局」の番組の予約を制限する、「Ｃ放送局」の番組の録画予約を制限する、「Ｃ放送局」の選局時に「視聴できない可能性があります」などのメッセージを表示する、受信できる可能性のある同系列の別の放送局の番組の視聴を推奨するメッセージを表示する、カーソルにより視聴可能な場所や向きを提示する、電話網やインターネット網を利用したテレビ放送に切り替えること等としてもよい。これにより、受信できる可能性のある放送局の代替の視聴手段を提供できるので、視聴者は、受信可能な放送局を視聴することができる。
【００５８】
その他、上記実施の形態における地上波デジタル放送受信装置１の細部構成及び詳細動作に関しても、本発明の趣旨を逸脱しない範囲で適宜変更可能である。
【図面の簡単な説明】
【００５９】
【図１】本発明に係る地上波デジタル放送受信装置の構成図である。
【図２】表示画面を示した図である。
【図３】受信状況測定後の表示画面を示した図である。
【図４】番組表表示処理の流れを示すフローチャートである。
【図５】カーソル移動操作後の表示画面を示した図である。
【図６】カーソル移動操作後の表示画面を示した図である。
【符号の説明】
【００６０】
１     地上波デジタル放送受信装置
１１   主制御部
１２   ＲＯＭ
１３   ＲＡＭ
１４   入力装置
１５   アンテナ
１６   チューナ部
１７   復調部
１８   映像・音声出力装置
１９   表示装置
２０   スピーカ部
２１   現在位置検出部
【図１】
0005194877.tif 000002
【図２】
0005194877.tif 000003
【図３】
0005194877.tif 000004
【図４】
0005194877.tif 000005
【図５】
0005194877.tif 000006
【図６】
0005194877.tif 000007